(57)【要約】  サブアドレスを認識できない電話端末においても、電話に出るか否かを判断する情報を得ることが可能な電話中継装置の提供。  電話中継装置１００が複数の発呼用電話番号（代理電話番号）を保有し、事前に定められた規則にしたがって着信側の電話端末２１０に発呼するときの電話番号（利用者電話番号）を使い分けることにより、着信側の電話端末２１０で、その電話中継装置１００経由の通話の種類を発信者電話番号（通知電話番号）により識別する。
2008078458.tif 000002
【特許請求の範囲】
【請求項１】
第１電話端末からの発呼を電話中継装置が受け取り、その呼を第２電話端末へ転送する電話中継システムであって、
前記第１電話端末から前記電話中継装置を発呼する際に用いる代理電話番号と、前記代理電話番号に対応して設けられる転送先の利用者識別子および利用者電話番号とが格納される利用者情報格納手段と、
前記利用者識別子に対応させて設けられ、第１電話端末から前記電話中継装置を発呼する際に前記電話中継装置に送信される前記第１電話端末の電話番号と電番識別子とを対応させた情報が格納される通知発番情報格納手段と、
前記電番識別子と通知電話番号とを対応させた情報が格納される電番情報格納手段と、
前記電話中継装置を発呼する際に用いられた代理電話番号を基に前記通知電話番号を特定し、前記通知電話番号を用いて前記利用者電話番号に対して呼を転送する呼制御手段とを前記電話中継装置に含むことを特徴とする電話中継システム。
【請求項２】
通知属性と前記電番識別子とを対応させた情報が格納される属性電番対応情報格納手段が含まれ、
前記呼制御手段は、前記第１電話端末から前記電話中継装置を発呼する際に送信される前記通知属性および前記第１電話端末の電話番号ならびに前記利用者識別子を基に前記通知電話番号を特定し、前記通知電話番号を用いて前記利用者電話番号に対して呼を転送することを特徴とする請求項１記載の電話中継システム。
【請求項３】
前記呼制御手段は、前記通知属性に対応する前記電番識別子と前記第１電話端末の電話番号とを用いて前記電番情報格納手段に格納される通知発番条件情報を更新することを特徴とする請求項２記載の電話中継システム。
【請求項４】
第１電話端末からの発呼を電話中継装置が受け取り、その呼を第２電話端末へ転送する電話中継システムに用いられる前記電話中継装置であって、
前記第１電話端末から前記電話中継装置を発呼する際に用いる代理電話番号と、前記代理電話番号に対応して設けられる転送先の利用者識別子および利用者電話番号とが格納される利用者情報格納手段と、
前記利用者識別子に対応させて設けられ、第１電話端末から前記電話中継装置を発呼する際に前記電話中継装置に送信される前記第１電話端末の電話番号と電番識別子とを対応させた情報が格納される通知発番情報格納手段と、
前記電番識別子と通知電話番号とを対応させた情報が格納される電番情報格納手段と、
前記電話中継装置を発呼する際に用いられた代理電話番号を基に前記通知電話番号を特定し、前記通知電話番号を用いて前記利用者電話番号に対して呼を転送する呼制御手段とを含むことを特徴とする電話中継装置。
【請求項５】
通知属性と前記電番識別子とを対応させた情報が格納される属性電番対応情報格納手段が含まれ、
前記呼制御手段は、前記第１電話端末から前記電話中継装置を発呼する際に送信される前記通知属性および前記第１電話端末の電話番号ならびに前記利用者識別子を基に前記通知電話番号を特定し、前記通知電話番号を用いて前記利用者電話番号に対して呼を転送することを特徴とする請求項４記載の電話中継装置。
【請求項６】
前記呼制御手段は、前記通知属性に対応する前記電番識別子と前記第１電話端末の電話番号とを用いて前記電番情報格納手段に格納される通知発番条件情報を更新することを特徴とする請求項５記載の電話中継装置。
【請求項７】
第１電話端末からの発呼を電話中継装置が受け取り、その呼を第２電話端末へ転送する電話中継方法であって、
前記電話中継装置には、
前記第１電話端末から前記電話中継装置を発呼する際に用いる代理電話番号と、前記代理電話番号に対応して設けられる転送先の利用者識別子および利用者電話番号とが格納される利用者情報格納部と、
前記利用者識別子に対応させて設けられ、第１電話端末から前記電話中継装置を発呼する際に前記電話中継装置に送信される前記第１電話端末の電話番号と電番識別子とを対応させた情報が格納される通知発番情報格納部と、
前記電番識別子と通知電話番号とを対応させた情報が格納される電番情報格納部とが含まれ、
前記電話中継装置は前記電話中継装置を発呼する際に用いられた代理電話番号を基に前記通知電話番号を特定し、前記通知電話番号を用いて前記利用者電話番号に対して呼を転送する呼制御ステップを含むことを特徴とする電話中継方法。
【請求項８】
前記電話中継装置には、通知属性と前記電番識別子とを対応させた情報が格納される属性電番対応情報格納部が含まれ、
前記呼制御ステップは、前記第１電話端末から前記電話中継装置を発呼する際に送信される前記通知属性および前記第１電話端末の電話番号ならびに前記利用者識別子を基に前記通知電話番号を特定し、前記通知電話番号を用いて前記利用者電話番号に対して呼を転送することを特徴とする請求項７記載の電話中継方法。
【請求項９】
前記呼制御ステップは、前記通知属性に対応する前記電番識別子と前記第１電話端末の電話番号とを用いて前記電番情報格納部に格納される通知発番条件情報を更新することを特徴とする請求項８記載の電話中継方法。
【請求項１０】
第１電話端末からの発呼を電話中継装置が受け取り、その呼を第２電話端末へ転送する電話中継方法のプログラムであって、
前記電話中継装置には、
前記第１電話端末から前記電話中継装置を発呼する際に用いる代理電話番号と、前記代理電話番号に対応して設けられる転送先の利用者識別子および利用者電話番号とが格納される利用者情報格納部と、
前記利用者識別子に対応させて設けられ、第１電話端末から前記電話中継装置を発呼する際に前記電話中継装置に送信される前記第１電話端末の電話番号と電番識別子とを対応させた情報が格納される通知発番情報格納部と、
前記電番識別子と通知電話番号とを対応させた情報が格納される電番情報格納部とが含まれ、
前記電話中継装置に設けられ、前記電話中継装置を発呼する際に用いられた代理電話番号を基に前記通知電話番号を特定し、前記通知電話番号を用いて前記利用者電話番号に対して呼を転送する呼制御ステップをコンピュータに実行させるためのプログラム。
【請求項１１】
前記電話中継装置には、通知属性と前記電番識別子とを対応させた情報が格納される属性電番対応情報格納部が含まれ、
前記呼制御ステップは、前記第１電話端末から前記電話中継装置を発呼する際に送信される前記通知属性および前記第１電話端末の電話番号ならびに前記利用者識別子を基に前記通知電話番号を特定し、前記通知電話番号を用いて前記利用者電話番号に対して呼を転送することを特徴とする請求項１０記載のプログラム。
【請求項１２】
前記呼制御ステップは、前記通知属性に対応する前記電番識別子と前記第１電話端末の電話番号とを用いて前記電番情報格納部に格納される通知発番条件情報を更新することを特徴とする請求項１１記載のプログラム。
【請求項１３】
電話網を介して複数の電話端末と接続された電話中継装置であって、
利用者電話番号と代理電話番号の対応情報を格納する機能を有する利用者情報格納手段と、与えられた情報から通知電話番号を決定する規則を格納する機能を有する通知発番決定規則格納手段と、
前記電話端末からの着信を受け付ける機能を有する電話着信手段と、
前記電話着信手段が着信を受けた際に、前記利用者情報格納手段から前記着信を受けた電話番号を代理電話番号とする利用者電話番号を特定するとともに、前記着信で通知された発信元電話番号と前記通知発番決定規則格納手段に格納された規則とに基づいて、転送処理に利用する通知電話番号を決定し、前記通知電話番号を用いて、前記利用者電話番号に前記着信を転送する機能を有する転送手段と、
を有することを特徴とする電話中継装置。
【請求項１４】
電話網を介して複数の電話端末と接続された電話中継装置であって、
利用者識別子と利用者電話番号の対応情報を格納する機能を有する利用者情報格納手段と、与えられた情報から通知電話番号を決定する規則を格納する機能を有する通知発番決定規則格納手段と、
前記電話端末からの発信要求を受け付ける機能を有する発信要求受付手段と、
前記発信要求受付手段が発信要求を受けた際に、前記利用者情報格納手段を用いて発信要求に含まれる利用者識別子から利用者電話番号を特定するとともに、前記発信要求に含まれる情報と前記通知発番決定規則格納手段に格納された規則とに基づいて通知電話番号を決定し、前記発信要求から決定される要求元の電話端末に電話発信するとともに、前記通知電話番号を用いて、前記利用者電話番号にも電話発信し、これら二つの通話を接続する機能を有する通話確立手段と、
を有することを特徴とする電話中継装置。
【請求項１５】
電話網を介して複数の電話端末と接続された電話中継装置であって、
利用者識別子と利用者電話番号と代理電話番号の対応情報を格納する機能を有する利用者情報格納手段と、
与えられた情報から通知電話番号を決定する規則を格納する機能を有する通知発番決定規則格納手段と
電話番号と通知発番との対応情報を格納する機能を有する通知発番情報格納手段と、
前記電話端末からの発信要求を受け付ける機能を有する発信要求受付手段と、
前記発信要求受付手段が発信要求を受けた際に、前記利用者情報格納手段を用いて発信要求に含まれる利用者識別子から代理電話番号を特定するとともに、前記発信要求に含まれる情報と前記通知発番決定規則格納手段に格納された規則とに基づいて通知電話番号を決定し、前記発信要求から決定される要求元の電話端末の電話番号と前記通知電話番号の組を前記通知発番情報格納手段に格納し、前記代理電話番号を要求元の電話端末に通知する機能を有する通話受付手段と、
前記要求元の電話端末からの着信を受け付ける機能を有する電話着信手段と、
前記電話着信手段が着信を受けた際に、前記着信で通知された発信元電話番号をもとに前記通知発番情報格納手段を参照し、転送処理に利用する通知電話番号を決定し、前記通知電話番号を用いて、前記利用者電話番号に前記着信を転送する機能を有する転送手段と、
を有することを特徴とする電話中継装置。
【請求項１６】
電話端末からの着信を受け付けるステップと、
前記着信を受けた電話番号を代理電話番号とする利用者電話番号を特定するとともに、前記着信で通知された発信元電話番号を予め設定された規則とに基づいて、転送処理に利用する通知電話番号を決定するステップと、
前記通知電話番号を用いて、前記利用者電話番号に前記着信を転送するステップと、
からなることを特徴とする電話中継方法。
【請求項１７】
電話端末からの発信要求を受け付けるステップと、
前記発信要求を受けた際に、前記発信要求に含まれる利用者識別子から利用者電話番号を特定するとともに、前記発信要求に含まれる情報と予め設定された規則とに基づいて通知電話番号を決定するステップと、
前記発信要求から決定される要求元の電話端末に電話発信するとともに、前記通知電話番号を用いて、前記利用者電話番号にも電話発信し、これら二つの通話を接続する機能を有するステップと、
からなることを特徴とする電話中継方法。
【請求項１８】
電話端末からの発信要求を受け付けるステップと、
前記発信要求を受けた際に、前記発信要求に含まれる利用者識別子から代理電話番号を特定するとともに、前記発信要求に含まれる情報と予め設定された規則とに基づいて通知電話番号を決定し、前記発信要求から決定される要求元の電話端末の電話番号と前記通知電話番号の組を格納し、前記代理電話番号を要求元の電話端末に通知するステップと、
前記要求元の電話端末からの着信を受け付けるステップと、
前記着信で通知された発信元電話番号をもとに前記通知発番情報格納手段を参照し、転送処理に利用する通知電話番号を決定するステップと、
前記通知電話番号を用いて、前記利用者電話番号に前記着信を転送するステップと、
からなることを特徴とする電話中継方法。
【請求項１９】
電話端末からの着信あるいは発信要求を受け付ける電話中継装置に設けられるプログラムであって、
コンピュータに、前記請求項１３〜１５いずれかに記載の処理を実行させるためのプログラム。
【発明の詳細な説明】
【技術分野】
【０００１】
本発明は、電話中継システムおよび電話中継装置ならびに電話中継方法に関し、特に第三者通話制御、あるいは転送を行う電話中継システムおよび電話中継装置ならびに電話中継方法に関する。
【背景技術】
【０００２】
発信者電話番号通知サービスによって発信者を識別し、あらかじめ登録されている転送先に着信転送する電話中継装置の発明が開示されている（たとえば、特許文献１〜３参照）。【０００３】
特許文献１〜３に記載されているのはＩＳＤＮ（integrated services digital network ）端末装置であるが、これらの端末装置のうち特許文献１および２に記載された装置は、着信時に、ＩＳＤＮ回線から送られてくる着信情報から発信者の電話番号を取り出し、発信者の電話番号に対する転送先が登録された転送先テーブルを参照して転送先を判別し、転送先に対して着信転送を行う。【０００４】
また特許文献３に記載されたＩＳＤＮ端末装置は、同じく転送処理時に、発信者電話番号（発番）をサブアドレスに載せて転送先に通知する。【０００５】
また、後述する電話中継装置で実行される処理（図１のステップＳ２３〜Ｓ２５）に関連する発明が非特許文献１に開示されている。
【特許文献１】特開平０３−０２９４４７号公報
【特許文献２】特開平０３−２８５４４０号公報
【特許文献３】特開２０００−０４９９４７号公報
【非特許文献１】J. Rosenberg et al.,  “Best Current Practices for Third Party Call Control (3pcc) in the Session Initiation Protocol (SIP) ”, ＩＥＴＦ  ＲＦＣ３７２５, Ericsson, April 2004, p. 1-31
【発明の開示】
【発明が解決しようとする課題】
【０００６】
特許文献１および２に記載された従来の技術の問題点は、電話に出る前に電話に出るか否かを判断する情報を得られない、ということである。その理由は、前述のＩＳＤＮ端末装置が転送処理を行う際の転送先に対して通知する発信者電話番号（発番）は、ＩＳＤＮ端末装置の固定的な番号であり、発信元の電話端末の番号ではないためである。【０００７】
また、特許文献３に記載された従来の技術の問題点は、呼を受ける電話端末の側で、サブアドレスを認識する機能を持っていないと、発番を知りえない、ということである。【０００８】
そこで本発明の目的は、サブアドレスを認識できない電話端末においても、電話に出るか否かを判断する情報を得ることが可能な電話中継システムおよび電話中継装置ならびに電話中継方法を提供することにある。
【課題を解決するための手段】
【０００９】
前記課題を解決するために本発明による電話中継システムは、第１電話端末からの発呼を電話中継装置が受け取り、その呼を第２電話端末へ転送する電話中継システムであって、前記第１電話端末から前記電話中継装置を発呼する際に用いる代理電話番号と、前記代理電話番号に対応して設けられる転送先の利用者識別子および利用者電話番号とが格納される利用者情報格納手段と、前記利用者識別子に対応させて設けられ、第１電話端末から前記電話中継装置を発呼する際に前記電話中継装置に送信される前記第１電話端末の電話番号と電番識別子とを対応させた情報が格納される通知発番情報格納手段と、前記電番識別子と通知電話番号とを対応させた情報が格納される電番情報格納手段と、前記電話中継装置を発呼する際に用いられた代理電話番号を基に前記通知電話番号を特定し、前記通知電話番号を用いて前記利用者電話番号に対して呼を転送する呼制御手段とを前記電話中継装置に含むことを特徴とする。【００１０】
また本発明による電話中継装置は、第１電話端末からの発呼を電話中継装置が受け取り、その呼を第２電話端末へ転送する電話中継システムに用いられる前記電話中継装置であって、前記第１電話端末から前記電話中継装置を発呼する際に用いる代理電話番号と、前記代理電話番号に対応して設けられる転送先の利用者識別子および利用者電話番号とが格納される利用者情報格納手段と、前記利用者識別子に対応させて設けられ、第１電話端末から前記電話中継装置を発呼する際に前記電話中継装置に送信される前記第１電話端末の電話番号と電番識別子とを対応させた情報が格納される通知発番情報格納手段と、前記電番識別子と通知電話番号とを対応させた情報が格納される電番情報格納手段と、前記電話中継装置を発呼する際に用いられた代理電話番号を基に前記通知電話番号を特定し、前記通知電話番号を用いて前記利用者電話番号に対して呼を転送する呼制御手段とを含むことを特徴とする。【００１１】
また本発明による電話中継方法は、第１電話端末からの発呼を電話中継装置が受け取り、その呼を第２電話端末へ転送する電話中継方法であって、前記電話中継装置には、前記第１電話端末から前記電話中継装置を発呼する際に用いる代理電話番号と、前記代理電話番号に対応して設けられる転送先の利用者識別子および利用者電話番号とが格納される利用者情報格納部と、前記利用者識別子に対応させて設けられ、第１電話端末から前記電話中継装置を発呼する際に前記電話中継装置に送信される前記第１電話端末の電話番号と電番識別子とを対応させた情報が格納される通知発番情報格納部と、前記電番識別子と通知電話番号とを対応させた情報が格納される電番情報格納部とが含まれ、前記電話中継装置は前記電話中継装置を発呼する際に用いられた代理電話番号を基に前記通知電話番号を特定し、前記通知電話番号を用いて前記利用者電話番号に対して呼を転送する呼制御ステップを含むことを特徴とする。【００１２】
また本発明によるプログラムは、第１電話端末からの発呼を電話中継装置が受け取り、その呼を第２電話端末へ転送する電話中継方法のプログラムであって、前記電話中継装置には、前記第１電話端末から前記電話中継装置を発呼する際に用いる代理電話番号と、前記代理電話番号に対応して設けられる転送先の利用者識別子および利用者電話番号とが格納される利用者情報格納部と、前記利用者識別子に対応させて設けられ、第１電話端末から前記電話中継装置を発呼する際に前記電話中継装置に送信される前記第１電話端末の電話番号と電番識別子とを対応させた情報が格納される通知発番情報格納部と、前記電番識別子と通知電話番号とを対応させた情報が格納される電番情報格納部とが含まれ、前記電話中継装置に設けられ、前記電話中継装置を発呼する際に用いられた代理電話番号を基に前記通知電話番号を特定し、前記通知電話番号を用いて前記利用者電話番号に対して呼を転送する呼制御ステップをコンピュータに実行させるためのプログラムであることを特徴とする。【００１３】
また本発明による他の電話中継装置は、電話網を介して複数の電話端末と接続された電話中継装置であって、利用者電話番号と代理電話番号の対応情報を格納する機能を有する利用者情報格納手段と、与えられた情報から通知電話番号を決定する規則を格納する機能を有する通知発番決定規則格納手段と、前記電話端末からの着信を受け付ける機能を有する電話着信手段と、前記電話着信手段が着信を受けた際に、前記利用者情報格納手段から前記着信を受けた電話番号を代理電話番号とする利用者電話番号を特定するとともに、前記着信で通知された発信元電話番号と前記通知発番決定規則格納手段に格納された規則とに基づいて、転送処理に利用する通知電話番号を決定し、前記通知電話番号を用いて、前記利用者電話番号に前記着信を転送する機能を有する転送手段と、を有することを特徴とする。【００１４】
また本発明による他の電話中継装置は、電話網を介して複数の電話端末と接続された電話中継装置であって、利用者識別子と利用者電話番号の対応情報を格納する機能を有する利用者情報格納手段と、与えられた情報から通知電話番号を決定する規則を格納する機能を有する通知発番決定規則格納手段と、前記電話端末からの発信要求を受け付ける機能を有する発信要求受付手段と、前記発信要求受付手段が発信要求を受けた際に、前記利用者情報格納手段を用いて発信要求に含まれる利用者識別子から利用者電話番号を特定するとともに、前記発信要求に含まれる情報と前記通知発番決定規則格納手段に格納された規則とに基づいて通知電話番号を決定し、前記発信要求から決定される要求元の電話端末に電話発信するとともに、前記通知電話番号を用いて、前記利用者電話番号にも電話発信し、これら二つの通話を接続する機能を有する通話確立手段とを有することを特徴とする。【００１５】
また本発明による他の電話中継装置は、電話網を介して複数の電話端末と接続された電話中継装置であって、利用者識別子と利用者電話番号と代理電話番号の対応情報を格納する機能を有する利用者情報格納手段と、与えられた情報から通知電話番号を決定する規則を格納する機能を有する通知発番決定規則格納手段と、電話番号と通知発番との対応情報を格納する機能を有する通知発番情報格納手段と、前記電話端末からの発信要求を受け付ける機能を有する発信要求受付手段と、前記発信要求受付手段が発信要求を受けた際に、前記利用者情報格納手段を用いて発信要求に含まれる利用者識別子から代理電話番号を特定するとともに、前記発信要求に含まれる情報と前記通知発番決定規則格納手段に格納された規則とに基づいて通知電話番号を決定し、前記発信要求から決定される要求元の電話端末の電話番号と前記通知電話番号の組を前記通知発番情報格納手段に格納し、前記代理電話番号を要求元の電話端末に通知する機能を有する通話受付手段と、前記要求元の電話端末からの着信を受け付ける機能を有する電話着信手段と、前記電話着信手段が着信を受けた際に、前記着信で通知された発信元電話番号をもとに前記通知発番情報格納手段を参照し、転送処理に利用する通知電話番号を決定し、前記通知電話番号を用いて、前記利用者電話番号に前記着信を転送する機能を有する転送手段とを有することを特徴とする。【００１６】
また本発明による他の電話中継方法は、電話端末からの着信を受け付けるステップと、前記着信を受けた電話番号を代理電話番号とする利用者電話番号を特定するとともに、前記着信で通知された発信元電話番号を予め設定された規則とに基づいて、転送処理に利用する通知電話番号を決定するステップと、前記通知電話番号を用いて、前記利用者電話番号に前記着信を転送するステップとからなることを特徴とする。【００１７】
また本発明による他の電話中継方法は、電話端末からの発信要求を受け付けるステップと、前記発信要求を受けた際に、前記発信要求に含まれる利用者識別子から利用者電話番号を特定するとともに、前記発信要求に含まれる情報と予め設定された規則とに基づいて通知電話番号を決定するステップと、前記発信要求から決定される要求元の電話端末に電話発信するとともに、前記通知電話番号を用いて、前記利用者電話番号にも電話発信し、これら二つの通話を接続する機能を有するステップとからなることを特徴とする。【００１８】
また本発明による他の電話中継方法は、電話端末からの発信要求を受け付けるステップと、前記発信要求を受けた際に、前記発信要求に含まれる利用者識別子から代理電話番号を特定するとともに、前記発信要求に含まれる情報と予め設定された規則とに基づいて通知電話番号を決定し、前記発信要求から決定される要求元の電話端末の電話番号と前記通知電話番号の組を格納し、前記代理電話番号を要求元の電話端末に通知するステップと、前記要求元の電話端末からの着信を受け付けるステップと、前記着信で通知された発信元電話番号をもとに前記通知発番情報格納手段を参照し、転送処理に利用する通知電話番号を決定するステップと、前記通知電話番号を用いて、前記利用者電話番号に前記着信を転送するステップとからなることを特徴とする。【００１９】
また本発明による他のプログラムは、電話端末からの着信あるいは発信要求を受け付ける電話中継装置に設けられるプログラムであって、コンピュータに、上記他の電話中継方法のいずれかに記載の処理を実行させるためのプログラムであることを特徴とする。【００２０】
ここで、本発明の作用を述べる。本発明では電話中継装置が複数の発呼用電話番号（代理電話番号）を保有し、事前に定められた規則にしたがって着信側の電話端末に発呼するときの電話番号（利用者電話番号）を使い分けることにより、着信側の電話端末で、その電話中継装置経由の通話の種類を発信者電話番号（通知電話番号）により識別することができる。
【発明の効果】
【００２１】
本発明によれば、上記構成を含むため、サブアドレスを認識できない電話端末においても、電話に出るか否かを判断する情報を得ることが可能となる。
【発明を実施するための最良の形態】
【００２２】
以下、本発明の最良の形態について添付図面を参照しながら詳細に説明する。【００２３】
第１の形態：図２は本発明に係る電話中継システムの第１の形態の構成図である。同図を参照すると、本発明に係る電話中継システムの第１の形態は、プログラム制御により動作する電話中継装置１００と、電話端末２００および２１０と、これら電話端末２００および２１０が接続する電話網５０−１および５０−２とを含んで構成される。なお、電話端末は電話網５０に３台以上接続されていても良い。【００２４】
電話中継装置１００には、通話処理部１１０と、通話処理部１１０に呼制御の指示を与える呼制御部１２０と、呼制御部１２０が動作上必要な情報を格納および参照するための呼制御情報格納部１３０と、制御用プログラムが格納されるプログラム格納部１５０とが含まれる。【００２５】
図３〜図５は、呼制御情報格納部１３０に格納される情報の例を示している。図３は呼制御情報格納部１３０に格納される利用者情報の一例を示す図である。図４は呼制御情報格納部１３０に格納される電番情報の一例を示す図である。図５は呼制御情報格納部１３０に格納される通知発番条件情報の一例を示す図である。図４の電番情報、図５の通知発番条件情報については、基本的には利用者識別子ごとに異なるものを用意するが、複数の利用者識別子に対して共通的な情報としても良い。【００２６】
以下の説明において、電話端末２００を発呼者側端末とし、電話端末２１０を着呼者側端末とする。【００２７】
図３を参照すると、利用者情報は、利用者識別子と、利用者電話番号と、代理電話番号とを含んで構成される。利用者識別子（同図の例では“０００００１〜０００００３”）は着呼者側端末利用者の識別子、利用者電話番号（同図の例では“０９０１２３４５６７８，０９０１１１１１１１１，０８０２２２２２２２２”）は着呼者側端末利用者の電話番号、代理電話番号（同図の例では“０５０１１１１０００１”〜“０５０１１１１０００３”）は電話中継装置１００を発呼するための電話番号をそれぞれ示している。【００２８】
また、利用者識別子“０００００１”と利用者電話番号“０９０１２３４５６７８”と代理電話番号“０５０１１１１０００１”とが相互に関係付けられており、同様に利用者識別子“０００００２”と利用者電話番号“０９０１１１１１１１１”と代理電話番号“０５０１１１１０００２”とが相互に関係付けられ、利用者識別子“０００００３”と利用者電話番号“０８０２２２２２２２２”と代理電話番号“０５０１１１１０００３”とが相互に関係付けられている。【００２９】
図４を参照すると、電番情報は、電番識別子と、通知電話番号とを含んで構成される。電番識別子（同図の例では“０１”〜“０３”）は電番識別符号であり、通知電話番号（同図の例では“０５０２２２２０００１”〜“０５０２２２２０００３”）は着呼者側端末に通知される発呼者の区別（属性情報や要求内容など）を示す情報である。したがって、通知電話番号は発呼者側端末（電話端末２００）の電話番号を示すものではない。【００３０】
図５に示す通知発番条件情報は、一例として利用者識別子“０００００１”に対応するものが示されている。このように通知発番条件情報は利用者識別子“０００００１”〜“０００００３”の各々に対応させて設けられる。【００３１】
ここで、「発番」と表示しているのは発呼者側端末（電話端末２００）の電話番号である。【００３２】
一例として、発番が“０９０２２２２２２２２”の場合は電番識別子“０１”が対応する。同様に、発番が“０９０３３３３３３３３”の場合は電番識別子“０２”が対応し、発番が“０４４４３１で始まる番号”の場合は電番識別子“０１”が対応し、発番が“０３３３４４で始まる番号”の場合は電番識別子“０２”が対応し、発番が“発番通知なし”の場合は電番識別子“０３”が対応し、発番が“それ以外”の場合は電番識別子“０３”が対応する。【００３３】
次に、図２および図６を参照して本実施の形態の全体の動作について詳細に説明する。図６は本発明に係る電話中継システムの第１の形態の動作を示すフローチャートである。【００３４】
まず、電話端末２００が、電話中継装置１００の持つ代理電話番号に対して発呼（音声通話発信）する。これを電話中継装置１００の通話処理部１１０が受け付ける（図６のステップＳ１１）。【００３５】
次に、通話処理部１１０は電話をかけてきた電話端末２００の発番情報を確認する（図６のステップＳ１２）。この「発番情報」には電話端末２００の電話番号が含まれる。【００３６】
これらの情報を電話中継装置１００の呼制御部１２０が受け取り、呼制御情報格納部１３０に格納している利用者情報を参照し、電話端末２００から電話中継装置１００に音声通話してきたときに用いた代理電話番号から、本通話に係る利用者識別子および利用者電話番号を特定するとともに、特定した利用者識別子に対応する通知発番条件情報を用いて、使用する電番識別子を確認した上で、電番情報を参照し、電番識別子から通知電話番号を特定する（図６のステップＳ１３）。【００３７】
最後に、呼制御部１２０が通話処理部１１０に指示することで、通話処理部１１０は、発番として前ステップで特定した通知電話番号を用いて、利用者電話番号に対して呼を転送する（図６のステップＳ１４）。【００３８】
次に、本実施の形態の効果について説明する。本実施の形態では、発呼者側の電話端末２００からの呼を電話中継装置１００が一旦終端し、発呼者の区別にしたがって発番を定めた上で着呼側の電話端末２１０に対して再発呼するというように構成されているため、発呼者の区別( 属性情報や要求内容など) を発番により着呼側で確認できる。【００３９】
また、本実施の形態では、さらに、発呼者側の電話端末２００からの呼を電話中継装置１００が一旦終端し、電話端末２００の発番とは異なる番号で再発呼するというように構成されているため、発呼側の電話番号を着呼側に対して隠蔽できる。【００４０】
第２の形態：次に、本発明の第２の形態について説明する。図７は本発明に係る電話中継システムの第２の形態の構成図である。なお、同図において図２と同様の構成部分については同一番号を付し、その説明を省略する。【００４１】
同図を参照すると、本発明に係る電話中継システムの第２の形態は、プログラム制御により動作する電話中継装置１００と、電話端末２００および２１０と、これら電話端末２００および２１０が接続する電話網５０−１および５０−２と、電話端末２００と電話中継装置１００とを接続するネットワーク６０とを含んで構成される。電話端末は電話網５０に３台以上接続されていても良く、またネットワーク６０にも複数接続されていても良い。【００４２】
電話中継装置１００には、通話処理部１１０と、通話処理部に呼制御の指示を与える呼制御部１２０と、呼制御部が動作上必要な情報を格納および参照するための呼制御情報格納部１３０と、制御用プログラムが格納されるプログラム格納部１５０と、電話端末２００からの要求をネットワーク経由で受け付けるデータ通信処理部１４０とが含まれる。【００４３】
本実施の形態では、呼制御情報格納部１３０に図３および図４に示す情報とともに図８に示す情報が格納される。図８は呼制御情報格納部１３０に格納される通知情報と通知発番の対応情報データの一例を示す図である。図４の電番情報と、後述する図１の通知情報および通知発番との対応情報については、基本的には利用者識別子ごとに異なるものを用意するが、複数の利用者識別子に対して共通的な情報としても良い。【００４４】
次に、図１及び図７のフローチャートを参照して本実施の形態の全体の動作について詳細に説明する。図１は本発明に係る電話中継システムの第２の形態の動作を示すフローチャートである。【００４５】
まず、電話端末２００が、ネットワーク６０経由で電話中継装置１００に対して、電番情報、通知属性情報、発呼先識別情報をパラメータ情報として持つ通話要求を行う。これを電話中継装置１００のデータ通信処理部１４０が受け付ける（図１のステップＳ２１）。【００４６】
このとき、電話中継装置１００のデータ通信処理部１４０は、電話端末２００の要求から、要求元電番情報、通知属性、発呼先識別情報とともに通話要求を呼制御部１２０に渡す。【００４７】
この通話要求を受けた呼制御部１２０は、発呼先識別情報から利用者電話番号を特定するとともに、呼制御情報格納部１３０に格納している通知属性と通知電番の対応情報（図８）から、利用する電番識別子を得、さらにその電番識別子を用いて呼制御情報格納部１３０に格納している電番情報を参照し、電番識別子から通知電話番号を特定する（図８のステップＳ２２）。【００４８】
そして、呼制御部１２０は、要求元電番情報と通知電話番号をパラメータとして、通話処理部１１０に通話指示を行う。【００４９】
この指示を受けた通話処理部１１０は、まず要求元である電話端末２００に発呼する（図１のステップＳ２３）。【００５０】
要求元の電話端末２００が呼に応答すると、次に通話処理部１１０は、発番として前ステップで特定した通知電話番号を用いて、利用者電話番号を持つもう一つの電話端末２１０に対して呼を転送する（図８のステップＳ２４）。【００５１】
電話端末２１０が呼に応答すると、通話処理部１１０は、電話端末２００の呼と電話端末２１０の呼の音声を接続し、両者の間で会話ができるようにする。（図８のステップＳ２５）。【００５２】
次に、本実施の形態の効果について説明する。本実施の形態では、通話要求を行う電話端末２００との間の呼を電話中継装置１００が一旦終端し、発呼者の属性にしたがって発番を定めた上で着呼側の電話端末２１０に対して発呼するというように構成されているため、発呼者の区別（属性情報や要求内容など）を発番により着呼側で確認できる。【００５３】
次に、本発明の実施例について詳細に説明する。
【実施例１】
【００５４】
第１実施例は前述の第１の形態をさらに具体的に述べた一例である。第１実施例では図２の構成図および図６のフローチャートを参照する。まず、電話端末２００が、電話中継装置１００の持つ代理電話番号に対して発呼（音声通話発信）する。これを通話処理部１１０が受け付ける（図６のステップＳ１１）。【００５５】
次に、通話処理部は電話をかけてきた電話端末２００の発番情報を確認する（図６のステップＳ１２）。【００５６】
これらの情報を呼制御部１２０が受け取り、呼制御情報格納部１３０に格納している利用者情報を参照し、電話端末２００から電話中継装置１００に音声通話してきたときに用いた代理電話番号から、本通話に係る利用者識別子および利用者電話番号を特定するとともに、特定した利用者識別子に対応する通知発番条件情報を用いて、使用する電番識別子を確認した上で、電番情報を参照し、電番識別子から通知電話番号を特定する（図６のステップＳ１３）。【００５７】
本ステップにおいて、例えば、電話をかけてきた、すなわち発呼者の電話端末２００の電話番号を“０４４４３１００００”とし、また発呼先の代理電話番号を“０５０１１１１０００１”であったとする。【００５８】
このとき、呼制御部１２０は、呼制御情報格納部１３０に格納している利用者情報（図３）を参照し、発呼先の代理電話番号から、今回処理する利用者識別子を取得する。図３の例に従えば、代理電話番号“０５０１１１１０００１”から、利用者識別子“０００００１”および利用者電話番号“０９０１２３４５６７８”を得ることができる。【００５９】
さらに、呼制御部１２０は、呼制御情報格納部１３０に格納している通知発番条件情報（図５）を参照する。具体的には、利用者識別子“０００００１”に対する通知発番条件に、発呼者の電話端末２００の電話番号“０４４４３１００００”を当てはめ、“発番が０４４４３１で始まる”に該当するため、使用する電話識別子として“０１”を取得する。【００６０】
その後、呼制御部１２０は、呼制御情報格納部１３０に格納している電番情報（図４）を参照し、電話識別子“０１”に対する通知電話番号“０５０２２２２０００１”を得る。【００６１】
最後に、呼制御部１２０が通話処理部１１０に指示することで、通話処理部１１０は、発番として前ステップで特定した通知電話番号を用いて、利用者電話番号に対して呼を転送する（図６のステップＳ１４）。【００６２】
前ステップの例を用いると、結果として呼制御部１２０は、通話処理部１１０に対して、発番“０５０２２２２０００１”で利用者電話番号“０９０１２３４５６７８”に対して発呼し、かつ、電話番号２００からの呼を転送することとなる。【００６３】
これをまとめると、電話番号“０４４４３１００００”の電話端末２００から、電話番号“０５０１１１１０００１”に対して電話をかけると、電話番号“０９０１２３４５７８”の電話端末２１０に対しては、電話番号“０５０２２２２０００１”から電話がかかることになる。【００６４】
この例では、一旦呼を終端してから別の呼を要求して転送する処理を通話処理部１１０が行うが、通話転送処理の具体的な動作について、ＳＩＰ(session initiation protocol) を用いて実現した処理について説明する。図９はＳＩＰを用いた通話転送処理の手順の一例を示すシーケンスチャートである。【００６５】
まず、電話端末２００が電話中継装置１００に対して呼を発生する（図９の（１））。この呼は、電話中継装置１００の通話処理部１１０が受け付けるが、その後、呼制御部１２０にて図６のステップＳ１１からＳ１４の処理が実施され、通話制御部１１０に対して、通知電話番号を用いて利用者電話番号への転送が指示される。【００６６】
そして通話制御部１１０は、その利用者電話番号を持つ電話端末２１０に対して通知電話番号を用いて発呼する（図９の（２））。【００６７】
そして電話端末２１０が着呼する（図９の（３））と、電話中継装置１００の通話制御部１００は電話端末２００側を着呼し（図９の（４））、双方の電話端末に対して呼処理完了通知を発行する（図９の（５）および（６））。【００６８】
これ以降、電話端末２００および２１０間での音声通話が可能となる（図９の（７））。【００６９】
なお、ここではＳＩＰを用いたが、ＰＳＤＮ(public switched data network)網やＩＳＤＮ(integrated services digital network) 網など、他の電話交換網の機能を用いて実現してもかまわない。
【実施例２】
【００７０】
第２実施例は前述の第１の形態をさらに具体的に述べた他の例である。前述の第１の形態の動作の中で、呼制御部１２０は、図６のステップＳ１４において、呼制御情報格納部１３０に格納している通知発番条件情報を参照する際、ここで挙げた例では、通知電番の選択には発信元の電話番号情報のみを条件に当てはめて用いているが、電話網５０において発信側電話端末２００から他の付加情報（例えば、位置情報）を取得することが可能な場合には、それらの付加情報を通知発番の決定に用いてもよい。【００７１】
加えて、電話網５０から取得できる発信側電話端末２００の情報を元に、外部の装置を用いて、さらに別の情報を取得して、それらも含めて通知発番の決定に用いても良い。その場合のシステム構成例を図１０に示す。図１０は本発明に係る電話中継システムの第２実施例の構成図である。なお、同図において図２と同様の構成部分については同一番号を付し、その説明を省略する。【００７２】
同図を参照すると、本発明に係る電話中継システムの第２実施例は、プログラム制御により動作する電話中継装置１００と、電話端末２００および２１０と、これら電話端末２００および２１０が接続する電話網５０−１および５０−２と、判定用情報提供部５００とを含んで構成される。【００７３】
なお、電話中継装置１００の構成は図２に示すものと同様なので、説明を省略する。判定用情報提供部５００は電話中継装置１００内の呼制御部１２０と接続される。電話端末は電話網５０に３台以上接続されていても良い。【００７４】
ここで判定用情報提供部５００は、呼制御情報１２０から与えられた情報に関連する別の情報を提供する機能を持つものである。例えば、電話端末２００の電話番号が与えられると、電話端末２００の現在位置情報を提供する測位装置などがある。【００７５】
この判定用情報提供部５００を用いる場合、呼制御部１２０は、図６のステップＳ１４において、呼制御情報格納部１３０に格納している通知発番条件情報を参照する前に、電話網５０から取得できる発信側電話端末２００の情報を判定用情報提供部５００に与え、得られた情報も含めて、通知発番条件情報を参照することになる。
【実施例３】
【００７６】
第３実施例は前述の第２の形態をさらに具体的に述べた一例である。第３実施例では図１のフローチャートおよび図７の構成図を参照する。【００７７】
まず、電話端末２００が、ネットワーク６０経由で電話中継装置１００に対して、電番情報、通知属性情報、発呼先識別情報をパラメータ情報として持つ通話要求を行う。これをデータ通信処理部１４０が受け付ける（図１のステップＳ２１）。【００７８】
このとき、データ通信処理部１４０は、電話端末２００の要求から、要求元電番情報、通知属性、発呼先識別情報とともに通話要求を呼制御部１２０に渡す。【００７９】
この通話要求を受けた呼制御部１２０は、発呼先識別情報から利用者電話番号を特定するとともに、呼制御情報格納部１３０に格納している通知属性と通知電番の対応情報（図８）から、利用する電番識別子を得、さらにその電番識別子を用いて呼制御情報格納部１３０に格納している電番情報を参照し、電番識別子から通知電話番号を特定する。（図１のステップＳ２２）。【００８０】
本ステップにおいて、例えば、要求者側の電話番号、すなわち要求元電話情報を“０９０９９９９９９９９”、通知属性を「重要」、発呼先識別情報を“０００００２”とする。このとき、呼制御部１２０は、呼制御情報格納部１３０に格納している利用者情報を参照し、発呼先識別情報と同じ利用者識別子を持つエントリを検索し、利用者電話番号を特定する。【００８１】
図３の例に従えば、発呼先識別番号の値である“００００００２”の利用者識別子を持つエントリから、利用者番号として“０９０１１１１１１１１”を得ることができる。【００８２】
さらに、呼制御部１２０は、呼制御情報格納部１３０に格納している通知属性と通知電番の対応情報を参照し、与えられた通知属性情報に対応する使用する電番識別子を得る。【００８３】
通知属性と通知電番の対応情報の例として、図８を想定した場合、通知属性「重要」に対する、電番識別子として“０２”を得る。【００８４】
そして、呼制御部１２０は、その電番識別子“０２”を用いて呼制御情報格納部１３０に格納している電番情報（図４）を参照し、電番識別子から通知電話番号を特定する。【００８５】
発呼先識別情報“０００００２”に適用される電番情報の例として図４を想定すると、電番識別子の値“０２”により通知電話番号を検索し、“０５０２２２２０００２”を得ることができる。【００８６】
そして、呼制御部１２０は、要求元電番情報と通知電話番号をパラメータとして、通話処理部１１０に通話指示を行う。【００８７】
前ステップの例を用いると、結果として呼制御部１２０は、通話処理部１１０に対して、要求元の電話端末“０９０９９９９９９９９”に対して発呼するとともに、発番“０５０２２２２０００２”で利用者電話番号“０９０１１１１１１１１”に対して発呼し、双方の電話端末間での通話を可能とするように支持する。【００８８】
この指示を受けた通話処理部１１０は、まず要求元である電話端末２００に発呼する（図１のステップＳ２３）。ここでの例では、“０９０９９９９９９９９”の番号に発呼する。【００８９】
ここで、要求元である電話端末２００に対して発呼するときの電話番号は、電話中継装置１００の持つ電話番号のうち任意のものが利用可能である。本番号は、固定でも良いし、利用者識別子ごとに変化させても良い。【００９０】
要求元の電話端末２００が呼に応答すると、次に通話処理部１１０は、発番として前ステップで特定した通知電話番号を用いて、利用者電話番号を持つもう一つの電話端末２１０に対して呼を転送する（図１のステップＳ２４）。【００９１】
これまでの例に基づくと、“０９０１１１１１１１１”の番号を持つ電話端末２１０に対して、発番“０５０２２２２０００２”で発呼する。【００９２】
電話端末２１０が呼に応答すると、通話処理部１１０は、電話端末２００の呼と電話端末２１０の呼の音声を接続し、両者の間で会話ができるようにする（図１のステップＳ２５）。【００９３】
この図１のステップＳ２３からＳ２５の処理は、例えば、前述の非特許文献１に記載されている第三者通話制御方式を用いても実現できる。この第三者通話制御方式を用いた図１のステップＳ２３〜Ｓ２５の動作例を図１１に示す。図１１は第三者通話制御方式を用いた図１のステップＳ２３〜Ｓ２５の処理の手順の一例を示すシーケンスチャートである。【００９４】
電話中継装置１００の通話処理部１１０は、電話端末２００および２１０間の通話を確立する指示を受けると、まず、図１ステップＳ２３に従い、電話端末２００に対して呼を発生する（図１１の（１））。【００９５】
電話端末２００が、着呼する（図１１の（２））と、図１ステップＳ２４に従い、もう一方の電話端末２１０に対して通知電話番号を用いて呼を発生する（図１１の（３））。【００９６】
電話端末２１０も着呼する（図１１の（４））と、図１ステップＳ２５に従い、双方の電話端末に対して呼処理完了通知を発行する（図１１の（５）および（６））。これ以降、電話端末２００および２１０間での音声通話が可能となる（図１１の（７））。【００９７】
なお、図１のステップＳ２３〜Ｓ２５の処理は、電話端末２００と電話端末２１０の間での通話が確立することと、電話端末２１０に通知される発番が図１ステップＳ２２で特定した通知電話番号である、という条件が満たされれば、他の方法により実現しても良い。【００９８】
なお、本実施例の動作の中で、呼制御部１２０は、図１のステップＳ２２において、呼制御情報格納部１３０に格納している通知属性と通知電番の対応情報を参照する際、ここで挙げた例では、「緊急」「重要」「通常」など、重要さを指標とした情報を用いていたが、「家具売り場」「日用品売り場」など、場所に関連する情報や、「当日予約」「明日以降の予約」など時間に関連する情報などを自由に使ってよい。また、通知属性として、要求元電話端末２００の電番情報を利用しても良い。【００９９】
さらに、第２実施例と同様、発信側電話端末２００から得た通知属性の情報を元に、外部の装置を用いて、さらに別の情報を取得して、それらも含めて通知発番の決定に用いても良い。
【実施例４】
【０１００】
第４実施例は前述の第２の形態をさらに具体的に述べた他の例である。第４実施例では図７の構成図および図１２のフローチャートを参照する。図１２は本発明の第４実施例の動作を示すフローチャートである。【０１０１】
構成については、図７と同様であるが、呼制御情報格納部１３０の情報として、通知発番条件情報（図５）が追加される。【０１０２】
本実施例の動作であるが、要求者の電話端末２００からの要求の取得方法については、図１ステップＳ２１と同様であり、電話端末２００が、ネットワーク６０経由で電話中継装置１００に対して、電番情報、通知属性情報、発呼先識別情報をパラメータ情報として持つ通話要求を行う。これをデータ通信処理部１４０が受け付ける（図１２のステップＳ３１）。【０１０３】
このとき、データ通信処理部１４０は、電話端末２００の要求から、要求元電番情報、通知属性、発呼先識別情報とともに通話要求を呼制御部１２０に渡す。【０１０４】
この通話要求を受けた呼制御部１２０は、呼制御情報格納部１３０に格納している通知属性と通知電番の対応情報（図８）から、利用する電番識別子を得、その電番識別子を用いて呼制御情報格納部１３０に格納している通知発番条件情報を更新する（図１２のステップＳ３２）。【０１０５】
本ステップにおいて、例えば、要求者側の電話番号、すなわち要求元電話情報を“０９０９９９９９９９９”、通知属性を「通常」、発呼先識別情報を“０００００１”とする。このとき、呼制御部１２０は、呼制御情報格納部１３０に格納している通知属性と通知電番の対応情報を参照し、与えられた通知属性情報に対応する使用する電番識別子を得る。【０１０６】
通知属性と通知電番の対応情報の例として、図８を想定した場合、通知属性「通常」に対する、電番識別子として、“０３”を得る。【０１０７】
そして、呼制御部１２０は、その電番識別子と発信元電話情報とを用いて呼制御情報格納部１３０に格納している通知発番条件情報を更新し、発信元電話情報からの呼に対して利用する電番識別子の内容を更新する。【０１０８】
発呼先識別情報（利用者識別子）“０００００１”に適用される電番情報の例として図５を想定すると、要求元電話情報である“０９０９９９９９９９９”と電番識別子の値“０３”を用いて、「発番が“０９０９９９９９９９９”の場合は電番識別子は“０３”」のルールを挿入する。【０１０９】
そして、呼制御部１２０は、電話中継装置１００の電話番号を要求元の電話端末２００に通知する（図１２のステップＳ３３）。【０１１０】
要求元の電話端末２００に通知する電話番号は、呼制御情報格納部１３０に格納している利用者情報と、指定された発呼先識別情報から得られる代理電話番号を利用する。【０１１１】
本例では、発呼先識別情報が“０００００１”であるため、図３から代理電話番号“０５０１１１１０００１”を得る。よって、代理電話番号“０５０１１１１０００１”を、要求元の電話端末２００に通知することとなる。【０１１２】
このあと、電話中継装置１００の電話番号の通知を受けた電話端末２００が、その番号に発呼すると、電話中継装置１００に呼が到着するが、これ以降の動作は、図６に示す第１の形態の動作と同様であるため、その説明は省略する。【０１１３】
なお、上記動作例の図１２のステップＳ３３においては、電話中継装置１００が通知する番号を、呼制御情報格納部１３０に格納している利用者情報から得ていたが、利用者識別子に関わらず共通の番号を用いても良い。その場合、呼制御情報格納部１３０に格納する通知発番条件情報も利用者識別子に関係なく共通のものとなる。【０１１４】
なお、第１の形態、第２の形態を通じて、受信側の電話端末２１０には、予め定めた条件に基づき選択された電話番号が発番として通知されることになる。したがって、例えば、予め電話機の電話帳において、通知電話番号と、その通知電話番号に対応する条件を「名前」として入力しておくことで、電話着信時に条件を確認することができる。【０１１５】
例えば、第２の形態の図１の例の場合、“０５０２２２２０００１”に対して「緊急」を、“０５０２２２２０００２”に対して「重要」を、“０５０２２２２０００３”に対して「通常」を、それぞれ名前として登録しておくと、電話端末の機能として着信時に名前を表示する機能を持っていた場合、発信元での通知属性に対応して「緊急」「重要」「通常」が電話端末画面上に表示されることになる。【０１１６】
同じように、通知属性を、場所に関連させて「家具売り場」「日用品売り場」などにしたり、時間に関連させて「当日予約」「明日以降の予約」などとすることもできる。
【実施例５】
【０１１７】
第５実施例は電話中継方法のプログラムに関するものである。前述のとおり、電話中継装置１００はプログラム格納部１５０を含んでいる（図２、図７および図１０参照）。このプログラム格納部１５０には図６、図１および図１２にフローチャートで示す電話中継方法のプログラムが格納されている。【０１１８】
電話中継装置１００内の図示しない制御部（コンピュータ）はプログラム格納部１５０から電話中継方法のプログラムを読み出し、そのプログラムにしたがって通話処理部１１０、呼制御部１２０、呼制御情報格納部１３０およびデータ通信処理部１４０を制御する。その制御の内容については既に述べたので、ここでの説明は省略する。【０１１９】
この出願は、２００６年１２月２７日に出願された日本出願特願２００６−３５０８１２を基礎とする優先権を主張し、その開示の全てをここに取り込む。
【図面の簡単な説明】
【０１２０】
【図１】本発明に係る電話中継システムの第２の形態の動作を示すフローチャートである。
【図２】本発明に係る電話中継システムの第１の形態の構成図である。
【図３】呼制御情報格納部１３０に格納される利用者情報の一例を示す図である。
【図４】呼制御情報格納部１３０に格納される電番情報の一例を示す図である。
【図５】呼制御情報格納部１３０に格納される通知発番条件情報の一例を示す図である。
【図６】本発明に係る電話中継システムの第１の形態の動作を示すフローチャートである。
【図７】本発明に係る電話中継システムの第２の形態の構成図である。
【図８】呼制御情報格納部１３０に格納される通知情報と通知発番の対応情報データの一例を示す図である。
【図９】ＳＩＰを用いた通話転送処理の手順の一例を示すシーケンスチャートである。
【図１０】本発明に係る電話中継システムの第２実施例の構成図である。
【図１１】第三者通話制御方式を用いた図８のステップＳ２３〜Ｓ２５の処理の手順の一例を示すシーケンスチャートである。
【図１２】本発明の第４実施例の動作を示すフローチャートである。
【符号の説明】
【０１２１】
５０    電話網
６０    ネットワーク
１００    電話中継装置
１１０    通話処理部
１２０    呼制御部
１３０    呼制御情報格納部
１４０    データ通信処理部
１５０    プログラム格納部
２００，２１０    電話端末
５００    判定用情報提供部
【図１】
2008078458.tif 000003
【図２】
2008078458.tif 000004
【図３】
2008078458.tif 000005
【図４】
2008078458.tif 000006
【図５】
2008078458.tif 000007
【図６】
2008078458.tif 000008
【図７】
2008078458.tif 000009
【図８】
2008078458.tif 000010
【図９】
2008078458.tif 000011
【図１０】
2008078458.tif 000012
【図１１】
2008078458.tif 000013
【図１２】
2008078458.tif 000014
【国際調査報告】
2008078458.tif 000015
2008078458.tif 000016
2008078458.tif 000017